(57)【要約】【課題】  肩吊りひもの長さを簡単に調整し、異なる肩吊りひもを楽に交換するブラジャーの肩吊りひも用連結装置を提供する。【解決手段】  ベース板と、該ベース板に枢設される活動プレートとを有するブラジャーの肩吊りひも用連結装置であって、前記ベース板の下側にブラジャーに掛けるためフック部が設けられ、両側に取り付けプレートが設けられ、各取り付けプレートに活動プレートを枢設するための枢設部が設けられ、前記ベース板に枢設される活動プレートは上縁を有し、該上縁にベース板へ向かって湾曲する複数の位置決め爪部が設けられ、該活動プレートの下側に位置決め爪部と相異方向へ向かって湾曲する取手部が設けられ、両側にベース板の枢設部と対応する枢設部を有する取り付けプレートが設けられることを特徴とする。【選択図】  図１
0003107921.tif 000002
【実用新案登録請求の範囲】
【請求項１】
ベース板と、該ベース板に枢設される活動プレートとを有するブラジャーの肩吊りひも用連結装置であって、
前記ベース板の下側にブラジャーに掛けるためフック部が設けられ、両側に取り付けプレートが設けられ、各取り付けプレートに活動プレートを枢設するための枢設部が設けられ、
前記ベース板に枢設される活動プレートは上縁を有し、該上縁にベース板へ向かって湾曲する複数の位置決め爪部が設けられ、該活動プレートの下側に位置決め爪部と相異方向へ向かって湾曲する取手部が設けられ、両側にベース板の枢設部と対応する枢設部を有する取り付けプレートが設けられることを特徴とするブラジャーの肩吊りひも用連結装置。
【請求項２】
前記ベース板の内側に位置決め爪部と対応する位置決め凹部が形成され、前記取附プレートにおける枢設部からベース板までの距離が枢設部から上縁までの距離より大きく、前記活動プレートの上縁における位置決め爪部の数が三つであることを特徴とする請求項１に記載のブラジャーの肩吊りひも用連結装置。
【請求項３】
前記ベース板の上側に活動プレートへ向かって湾曲する縁部が設けられ、前記ベース板の取り付けプレートに位置決め孔が形成されると共に、前記位置決め孔を有する取り付けプレートと対応する活動プレートの取り付けプレートに、該位置決め孔に位置決める位置決めブロックが設けられることを特徴とする請求項２に記載のブラジャーの肩吊りひも用連結装置。
【考案の詳細な説明】
【技術分野】
【０００１】
本考案は、特に肩吊りひもの長さを簡単に調整し、異なる肩吊りひもを楽に交換できるブラジャーの肩吊りひも用連結装置に関するものである。
【背景技術】
【０００２】
衣装に合わせるため、従来のブラジャーには、異なる色や形を有する置換式肩吊りひもが設けられている。従来の肩吊りひもの一端には、ブラジャーのカップと連結するためフックを有する連結装置が設けられる。
【考案の開示】
【考案が解決しようとする課題】
【０００３】
前記肩吊りひもの長さを調整するために、肩吊りひもに調節用締め金が設けられているが、この露出した調節用締め金は、美観性が不足している。
【０００４】
そこで、案出されたのが本考案であって、肩吊りひもの長さを簡単に調整し、異なる肩吊りひもを楽に交換できる、ブラジャーの肩吊りひも用連結装置を提供することを目的としている。
【課題を解決するための手段】
【０００５】
本願の請求項１の考案は、ベース板と、該ベース板に枢設される活動プレートとを有するブラジャーの肩吊りひも用連結装置であって、
前記ベース板の下側にブラジャーに掛けるためフック部が設けられ、両側に取り付けプレートが設けられ、各取り付けプレートに活動プレートを枢設するための枢設部が設けられ、
前記ベース板に枢設される活動プレートは上縁を有し、該上縁にベース板へ向かって湾曲する複数の位置決め爪部が設けられ、該活動プレートの下側に位置決め爪部と相異方向へ向かって湾曲する取手部が設けられ、両側にベース板の枢設部と対応する枢設部を有する取り付けプレートが設けられることを特徴とするブラジャーの肩吊りひも用連結装置及び、
本願の請求項２の考案は、前記ベース板の内側に位置決め爪部と対応する位置決め凹部が形成され、前記取附プレートにおける枢設部からベース板までの距離が枢設部から上縁までの距離より大きく、前記活動プレートの上縁における位置決め爪部の数が三つであることを特徴とする請求項１に記載のブラジャーの肩吊りひも用連結装置及び、
本願の請求項３の考案は、前記ベース板の上側に活動プレートへ向かって湾曲する縁部が設けられ、前記ベース板の取り付けプレートに位置決め孔が形成されると共に、前記位置決め孔を有する取り付けプレートと対応する活動プレートの取り付けプレートに、該位置決め孔に位置決める位置決めブロックが設けられることを特徴とする請求項２に記載のブラジャーの肩吊りひも用連結装置、を提供する。
【考案の効果】
【０００６】
本考案は上記の課題を解決するものであり、相互に枢設されるベース板と活動プレートを有し、ベース板における位置きめ凹部と活動プレートにおける位置決め爪部との組合で、肩吊りひもの長さを簡単に調整し、異なる肩吊りひもを楽に交換することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るブラジャーの肩吊りひも用連結装置の分解斜視図であり、図２は本考案に係るブラジャーの肩吊りひも用連結装置の斜視図であり、図３は本考案に係るブラジャーの肩吊りひも用連結装置の使用状態を示す断面図図であり、図４は本考案に係るブラジャーの肩吊りひも用連結装置の他の使用状態を示す斜視図である。
【０００９】
図１及び図２に示すように、本考案に係るブラジャーの肩吊りひも用連結装置は、ベース板（１０）と、該ベース板（１０）に枢設される活動プレート（２０）とを有する。
【００１０】
前記ベース板（１０）の下側にブラジャーに掛けるためフック部（１３）が設けられ、両側に取り付けプレート（１４）が設けられ、各取り付けプレート（１４）に活動プレート（２０）を枢設するための枢設部が設けられ、本実施例において、該枢設部は枢設孔（１４１）であり、又、その一つの取り付けプレート（１４）に位置決め孔（１４２）が形成される。
【００１１】
前記ベース板（１０）に枢設される活動プレート（２０）は上縁（２０１）を有し、該上縁（２０１）にベース板（１０）へ向かって湾曲する複数の位置決め爪部（２３）が設けられる。該活動プレート（２０）の下側に位置決め爪部（２３）と相異方向へ向かって湾曲する取手部（２１）が設けられ、両側に枢設部を有する取り付けプレート（２２）が設けられる。本実施例において、該取り付けプレート（２２）における枢設部は、前記取り付けプレート（１４）の枢設孔（１４１）に対応する枢設ブロック（２２１）であり、又、前記位置決め孔（１４２）を有する取り付けプレート（１４）と対応する取り付けプレート（２２）に該位置決め孔（１４２）に位置決める位置決めブロック（２２２）が設けられる。
【００１２】
本考案の実施例は、ベース板（１０）の内側に位置決め爪部（２３）と対応する位置決め凹部（１１）が形成されることにより、該位置決め爪部（２３）の固定効果を向上する。又、取り付けプレート（２２）における枢設部からベース板（１０）までの距離が、枢設部から上縁（２０１）までの距離より大きいことにより、活動プレート（２０）をベース板（１０）から開ける際、活動プレート（２０）とベース板（１０）との間に形成される隙間が広くなる。そして、前記活動プレート（２０）の上縁（２０１）における位置決め爪部（２３）の数は三つであり、ベース板（１０）の上側に活動プレート（２０）へ向かって湾曲する縁部（１２）が設けられる。
【００１３】
図３に示すように、本考案をピース状の肩吊りひも（３０）と一緒に使用する場合、ベース板（１０）のフック部（１３）がブラジャー（３１）に締めかけると共に、肩吊りひも（３０）が、ベース板（１０）と活動プレート（２０）との間に設けられ、肩吊りひも（３０）の長さを調整した後、活動プレート（２０）の位置決め爪部（２３）が、肩吊りひも（３０）を貫通してベース板（１０）における位置決め凹部（１１）に位置決める。
【００１４】
又、図４に示すように、本考案をボールチェーン状の肩吊りひも（４０）と一緒に使用する場合、該位置決め爪部（２３）が、肩吊りひも（４０）を位置決めるので、肩吊りひも（４０）におけるボールをベース板（１０）と活動プレート（２０）との間に固定することができる。又、本考案のベース板（１０）に縁部（１２）が設けられるので、使用者の肌を傷付けることも防止できる。
【産業上の利用可能性】
【００１５】
本考案は上記の構成を有するので、相互に枢設されるベース板と活動プレートを有し、ベース板における位置決め凹部と、活動プレートにおける位置決め爪部との組合で、肩吊りひもの長さを簡単に調整し、異なる肩吊りひもを楽に交換することができる。
【図面の簡単な説明】
【００１６】
【図１】本考案に係るブラジャーの肩吊りひも用連結装置の分解斜視図である。
【図２】本考案に係るブラジャーの肩吊りひも用連結装置の斜視図である。
【図３】本考案に係るブラジャーの肩吊りひも用連結装置の使用状態を示す断面図図である。
【図４】本考案に係るブラジャーの肩吊りひも用連結装置の他の使用状態を示す斜視図である。
【符号の説明】
【００１７】
１０  ベース板
１１  位置決め凹部
１２  縁部
１３  フック部
１４  取り付けプレート
１４１  枢設孔
１４２  位置決め孔
２０  活動プレート
２０１  上縁
２１  取手部
２２  取り付けプレート
２２１  枢設ブロック
２２２  位置決めブロック
２３  位置決め爪部
３０  肩吊りひも
３１  ブラジャー
４０  肩吊りひも
【図１】
0003107921.tif 000003
【図２】
0003107921.tif 000004
【図３】
0003107921.tif 000005
【図４】
0003107921.tif 000006